(57)【要約】【課題】  本発明は、軸に沿って配列された陰極線管用の電子銃に関する。【解決手段】  本発明による陰極線管用電子銃は、３つの電極（５、６、７）を有する４重極を備えている。各電極は、中心アパーチャ、右側方アパーチャ及び左側方アパーチャを有しており、３つはすべて実質的に方形である。３つの電極の中心アパーチャの中心部（ｃ５．１、ｃ７．１）は、電子銃の軸（ｚ）に沿って配列される。第２電極（６）の左側方アパーチャ及び右側方アパーチャの中心部（ｃ６．１、ｃ６．３）は、それぞれ、第１軸（ｚ１）及び第２軸（ｚ３）に沿って配列され、これら軸は、電子銃の軸（ｚ）に平行である。第１電極（５）及び／又は第３電極（７）の左側方アパーチャ及び右側方アパーチャ（５．１、５．３、７．１、７．３）の中心部（ｃ５．１、ｃ７．１）は、第２電極のアパーチャの中心部を通過する軸（ｚ１、ｚ３）に対してオフセットである。かかる配置は、ＭＯＤＥＣの欠点を修正することを可能とする。【選択図】  図４
2005085765.tif 000002
【特許請求の範囲】
【請求項１】
電子銃の軸（ｚ）に沿って配向されている、陰極線管用電子銃であって：
平行に配列され、且つ、前記電子銃の前記軸（ｚ）に沿ってシリーズで配列された、第１電極（５）、第２電極（６）及び第３電極（７）を備えた少なくとも１つの第１の４重極装置を備えており；
前記の各電極は、全て実質的に方形の、中心アパーチャ、右側方アパーチャ及び左側方アパーチャを有しており；
前記第１電極（５）及び前記第３電極（７）の前記アパーチャの大側面は、第１方向に沿って配向されており；
前記第２電極（６）の前記のアパーチャの大側面は、前記第１方向に垂直な第２方向に沿って配向されており；
前記の各アパーチャは、中心部（ｃ５．１乃至ｃ７．３）を有しており；
前記の３つの電極の前記中心アパーチャの中心部（ｃ５．２、ｃ６．２、ｃ７．２）は、前記電子銃の前記軸に沿って配列されており；
前記第２電極（６）の前記左側方アパーチャ及び前記右側方アパーチャの中心部（ｃ６．１、ｃ６．３）は、前記電子銃の前記軸に平行な第１軸（ｚ１）及び第２軸（ｚ４）に沿ってそれぞれ配置されており；
前記第１電極（５）及び／又は前記第３電極（７）の前記左側方アパーチャの中心部（ｃ５．１、ｃ７．１）は、前記電子銃の前記軸（ｚ）に平行で前記第１軸（ｚ１）とは異なる第３軸（ｚ’１）上に配置されており；
前記第１電極（５）及び／又は前記第３電極（７）の前記右側方アパーチャの中心部（ｃ５．３、ｃ７．３）は、前記電子銃の前記軸（ｚ）に平行で前記第２軸（ｚ３）とは異なる第４軸（ｚ’３）上に配置されている；
ことを特徴とする、陰極線管用電子銃。
【請求項２】
前記第１電極（５）の前記左側方アパーチャの前記中心部は、前記第３軸（ｚ’１）上に配置されており、
前記第３電極（７）の前記左側方アパーチャの前記中心部は、前記電子銃に平行で前記第１軸（ｚ１）とは異なる第５軸上に配置されており、
前記第１電極（５）の前記右側方アパーチャの前記中心部は、前記第４軸（ｚ’３）上に配置されており、
前記第３電極（７）の前記右側方アパーチャの前記中心部は、前記電子銃の前記軸（ｚ）に平行で前記第２軸（ｚ３）とは異なる第６軸（ｚ’’３）上に配置されている、
ことを特徴とする請求項１に記載の陰極線管用電子銃。
【請求項３】
前記第１電極（５）、前記第２電極（６）及び前記第３電極（７）は、平面で構成されていることを特徴とする請求項１又は２に記載の陰極線管用電子銃。
【請求項４】
前記第１軸（ｚ１）、前記第３軸（ｚ’１）及び前記第５軸（ｚ’’１）は、前記電子銃の前記軸（ｚ）に対して、前記第２軸（ｚ３）、前記第４軸（ｚ’３）及び前記第６軸（ｚ’’３）と、それぞれ対称であることを特徴とする請求項３に記載の陰極線管用電子銃。
【請求項５】
前記のアパーチャは、ホール又は拡張部（Ｅ５．１乃至Ｅ．７．３）を有しており、前記の電極の配列を可能としており、
前記の電極（５、６及び７）の前記左側方アパーチャを配列する前記ホールは、前記第１軸（ｚ１）に沿って配置されており、
前記の電極（５、６及び７）の前記右側方アパーチャを配列する前記ホールは、前記第２軸（ｚ３）に沿って配置されている
ことを特徴とする請求項３又は４に記載の陰極線管用電子銃。
【請求項６】
前記第１電極（５）及び前記第３電極（７）は、固定された分極ポテンシャルに設定されており、
前記第２電極（６）は、スクリーン走査に同期して変化する分極ポテンシャルに設定されている
ことを特徴とする請求項５に記載の陰極線管用電子銃。
【請求項７】
電子放出陰極（Ｋ）、
電子ビームを形成する効果を有し前記電子ビームを交差点に集束する、電極システム（Ｇ１、Ｇ２）、
前記電子ビームを再集束する電子レンズ（Ｇ３、Ｇ４、５）、
前記の第１の４重極装置（５、６、７）、
スクリーンの端部におけるビームの集束の不備を修正するように、前記スクリーン走査に同期する動的な様式にて電気的に制御される第２の４重極装置（Ｇ７、Ｇ８）、及び
前記電子ビームをスクリーン上に集束可能な主電子レンズ（Ｇ８−Ｇ９）
が前記軸（ｚ）に沿って連続して配列され備えられていることを特徴とする請求項６に記載の陰極線管用電子銃。
【請求項８】
前記スクリーンは、方形で構成されており、且つ、前記の第１の４重極装置の前記第１電極（５）及び前記第３電極（７）の前記の電極の前記のアパーチャの前記大側面の前記第１方向に平行に配列された大側面を有していることを特徴とする請求項７に記載の陰極線管用電子銃。
【請求項９】
前記の第１の４重極装置の前記第１電極（５）及び前記第３電極（７）は、該第１の４重極装置の前記第２電極（６）と距離ｄの位置に存在していることを特徴とする請求項８に記載の陰極線管用電子銃。
【請求項１０】
前記拡張部は、前記の電極の前記のアパーチャの前記大側面上に配置されており、且つ、半径Ｒの円形で構成されており、前記半径Ｒは、
Ｈをアパーチャの前記の２つの大側面間の距離とし、
αを前記半径Ｒの前記の円の円周の百分率とした場合、
Ｒ＝（Ｈ／２）／ｃｏｓ（α．π／２）
である、
ことを特徴とする請求項５に記載の陰極線管用電子銃。
【発明の詳細な説明】
【技術分野】
【０００１】
本発明は、陰極線管用電子銃に係り、特に、カラーテレビ用の高鮮明度の電子銃に関する。
【背景技術】
【０００２】
常套的な受像管は、ほぼ平面のフェースプレート又は方形のスクリーンを備えている。このスクリーンは、励起される蛍光体に依存して、青色、緑色又は赤色であってもよい電子ビーム放出光により励起される蛍光体のパッチのモザイク又はピクセルにて内部フェース上に装備される。
【０００３】
受像管のエンベロープにシールされる電子銃は、スクリーンの中心に向かって配向され、せん孔されたマスク（又はシャドーマスク）を介して、スクリーンの種々の位置に向かって電子ビームを放出することを可能としている。この電子銃は、蛍光体を有するスクリーンの内部フェースに電子ビームを集束させることを可能としている。
【０００４】
受像管の周囲又はいずれかの側面上に配置された偏位システムは、電子ビームの軌道を偏位するように、電子ビームの方向に対して作用することを可能としている。従って、偏位システムの連続的な作用は、蛍光体の全体的なモザイクを探索するように、スクリーンの水平及び垂直走査を可能とする。
【０００５】
電子ビームの偏位がなく且つ電子銃における対称的な電場を発生する電子銃の対象的な電極を有する場合、電子ビームはスクリーンの中心に到達する。
【０００６】
偏位システムが作動され且つ電子ビームの方向が偏向される場合、スクリーン上のスポットは、変形され、この問題は、電子ビームがスクリーンの周辺に向かって偏向され或いはスクリーンの過度に向かうにつれ、全てがより決定的となる。特に、水平方向の寸法が大きい方形スクリーンの場合、左端部及び右端部に向かう水平方向の偏向は、水平方向に変形されたスポットを与えるようになる。スクリーンの角では、垂直及び水平方向が組み合わされた変形を生じるようになる。
【０００７】
これらの欠点を改善するため、先行技術では、上述した電子ビームの変形に関して予め補正するように、４重極（ｑｕａｄｒｉｐｏｌｅ）の形態で且つ垂直方向及び水平方向における異なる方向に電気的に制御された電極を提供している。
【０００８】
この４重極の効果は、電子ビームに関する形状係数（ｓｈａｐｅ  ｆａｃｔｏｒ）を達成することを可能とする。これらの効果は、スクリーンの周辺に向かって偏位する場合、つまりスクリーン上のスポットのサイズが変形する場合、偏位器により発生されるビーム形状が変形するという減少に対抗する傾向がある。この形状係数は、電子ビームの偏位の関数として動的であるべきである。
【０００９】
従って、スクリーンの周囲に向かい電子ビームの水平方向の変形は、スクリーンの走査を効果的に行うようにビームを偏位する偏位器により発生された、且つ、電子銃の出口の４重極の作用であるこの偏位器に関連付けられた、磁気偏向の結果である。これらの効果の組み合わせは、水平解像度の劣化及び垂直解像度の大幅な向上をもたらす。
【００１０】
４重極構造は、方形ホールで構成された３つの電極を備えていてもよく、これらは、４重極効果を発生することを可能にする。また、円形ホールで構成された電極を備えていてもよく、これらは、電子銃の種々の要素の適切な配列を確実にする。
【００１１】
テレビスクリーン上の配列された色彩ピクセルの励起を意図された電子銃において、各電極は、３つのホールを含んでおり、３つの電子ビームの処理及び送信を可能としており、これらのビームは、いわゆる赤色、緑色及び青色電子ビームと称され、スクリーンの赤色、緑色及び青色のピクセルをそれぞれ励起することを意図されている。
【００１２】
さらに、いわゆる「高鮮明度」の電子銃もまた、第２の４重極を備えていてもよく、その効果は、以下の既述において「インターデジタル（ｉｎｔｅｒｄｉｇｉｔｓ）」と称されるインターデジタル化された要素を介して達成される。この４重極は、画像端部におけるスポットの垂直方向のサイズを調節することを可能とする。これら「インターデジタル」もまた、上記のホールの構造のレベルにおいて非対称性を生み出すことにより、「ＭＯＤＥＣ（「ビームデコンバージェンス変調（ｂｅａｍ  ｄｅｃｏｎｖｅｒｇｅｎｃｅ  ｍｏｄｕｌａｔｉｏｎ）」なる用語に由来）」などの電子銃に関連して欠点を修正するのに用いる。他方、この非対称性は、「高鮮明度」の銃に作用する際より大きくなる。
【００１３】
電子銃のデザインを仕上げるため、以下のパラメーターを調節する必要がある：
−ＦＲＡＴ（「集束屈折配列テスト（ｆｏｃｕｓｉｎｇ  ｒｅｆｒａｃｔｉｏｎ  ａｌｉｇｎｍｅｎｔ  ｔｅｓｔ）なる表現に由来」）として一般的に参照される、±１０００ボルトにおける公称操作の電圧Ｖ６及びＶｆの外側のビームのスクリーンに対する衝撃の位置と、公称操作の電圧Ｖ６及びＶｆの外側のビームの衝撃の位置との差異である。公称操作は、電圧のペアＶ６及びＶｆであって、スクリーンの中心に正確に電子ビームを集束することを可能にすることに留意すべきである。
【００１４】
−ＭＯＤＥＣ（「ビームデコンバージェンス変調（ｂｅａｍ  ｄｅｃｏｎｖｅｒｇｅｎｃｅ  ｍｏｄｕｌａｔｉｏｎ）」なる用語に由来）は、（公称）操作の電圧Ｖ６及びＶｆの外側のビームの衝撃の位置と、１０００ボルトの電圧Ｖ６及び公称電圧Ｖｆの外側のビームの衝撃の位置と、の差異である。Ｖ６は、Ｖｆと電子ビームの偏向の位置に適用される変調とを足しあわせた値と一致していてもよい（Ｖ６＝Ｖｄ＋Ｖｆ）。
【００１５】
−ＦＯＤＥＣ（「集束デコンバージェンス（ｆｏｃｕｓｉｎｇ  ｄｅｃｏｎｖｅｒｇｅｎｃｅ）」なる表現に由来）は、（公称）操作の電圧Ｖ６及びＶｆの外側のビームの衝撃の位置と、公称電圧Ｖ６及び１０００ボルトの電圧Ｖｆの外側のビームの衝撃の位置と、の差異である。
【００１６】
一般則として、ＦＲＡＴは、電子銃のＢＦＲ（「ビーム形成領域（ｂｅａｍ  ｆｏｒｍａｔｉｏｎ  ｒｅｇｉｏｎ）」なる表現に由来）部分に関する設計パラメーターにより修正される。
【００１７】
その一部に関して、ＭＯＤＥＣは、「インターデジタル」のレベルにおいて発生する設計パラメーターにより修正される。この「インターデジタル」は、スクリーンの端部に対する垂直サイズを向上させることを可能とする４重極構造を形成する。「インターデジタル」（図５及び図６）は、距離Ｄ．ｉｄ（図６ａ）だけ互いに分離された２つのプレートで構成されており、それぞれは、３つのビーム、つまり、赤色、緑色及び青色にそれぞれ対応して１４、１５及び１６などの３つのホールとしてドリルで穴を開けられている。各ホールは、例えば、Ａ及びＢなどの擬似的な１／４の円筒の２つで構成されており、これは、Ｘ又はＹ軸において対称である。対向するホールにおけるこの擬似的な１／４の円筒は、４重極効果を発生するように、Ｚ軸において９０°回転される。外部のホール上では、０のＭＯＤＥＣを確実とするように、これら１／４の円筒間で差異Ｄｉｆｆを生み出す必要がある。
【００１８】
特定の銃及び特に「高鮮明度」のテレビに関して設計された銃に関して、外側のホールの１／４の円筒の２つに関する差異Ｄｉｆｆは、大きすぎであり、電子ビームの形状のレベルにおいて非常な非対称性を生み出してもよい。
【発明の開示】
【発明が解決しようとする課題】
【００１９】
本発明は、電子銃の軸に沿って配向された、陰極線管用電子銃を提供することを目的とする。
【課題を解決するための手段】
【００２０】
従って、本発明は、電子銃の軸に沿って配向された、陰極線管用電子銃に関連しており、平行に且つ、電子銃の上記の軸に沿って順次配置された、第１電極、第２電極及び第３電極を備えた少なくとも１つの第１の４重極装置を備えている。各電極は、実質的に方形の、中心アパーチャ、右アパーチャ及び左アパーチャを有している。第１電極及び第３電極のアパーチャの大側面は、第１方向に沿って配列されており、一方で、第２電極のアパーチャの大側面は、第１方向に直交した第２方向に沿って配列されている。各アパーチャは、中心部を有している。３つの電極の中心アパーチャの中心は、電子銃の上記軸に沿って配列されている。第２電極の右及び左アパーチャの中心は、電子銃の上記の軸に平行な第１軸及び第２軸にそれぞれ沿って配置されている。第１電極及び／又は第３電極の左アパーチャの中心は、電子銃の上記の軸に平行で上記の第１軸とは異なる、第３軸上に配置されている。第１電極及び／又は第３電極の右アパーチャの中心は、電子銃の上記の軸に平行で上記の第２軸とは異なる、第４軸上に配置されている。
【００２１】
本発明の一つの実施例によると、第１電極の左アパーチャの中心は、上記の第３軸上に配置されており、第３電極の左アパーチャの中心は、電子銃の軸に平行で上記の第１軸とは異なる、第５軸上に配置されている。第１電極の右アパーチャの中心は、上記の第４軸上に配置されており、第３電極の右アパーチャの中心は、電子銃の軸に平行で上記の第２軸とは異なる、第６軸上に配置されている。
【００２２】
好ましくは、第１電極、第２電極及び第３電極は、平面の形態で構成されている。
【００２３】
本発明の一つの実施例によると、第１軸、第３軸及び第５軸は、電子銃の軸に対して、第２軸、第４軸及び第６軸にそれぞれ対称である。
【００２４】
さらに、第１軸及び第２軸は、電子銃の軸に対して、第３軸及び第４軸にそれぞれ対称である。
【００２５】
さらに、上記の各アパーチャは、電極の配列を可能とするホールを有している。第３電極の左アパーチャを配列するホールは、上記の第１軸に沿って配置されている。同様に、第３電極の右アパーチャを配列するホールは、上記の第２軸に沿って配置されている。
【００２６】
好ましくは、第１電極及び第３電極は、固定された分極ポテンシャルに設定されている。第２電極は、スクリーンの走査に同期して変化する分極ポテンシャルに設定されている。
【００２７】
一つの有利な実施例によると、本発明の電子銃は、その軸に沿って連続して配置されており：
−電子放出陰極、
−電子ビームを形成し、いわゆる交差位置に集束する電極システム、
−上記の電子ビームを再集束する電子レンズ、
−上記の第１の４重極装置、
−スクリーンの端部におけるビーム集束の欠点を修正するように、スクリーン走査に同期した動的な様式にて電気的に制御される第２の４重極装置、及び
−上記の電子ビームをスクリーン上に集束することを可能とする主電子レンズ、
を備えている。
【００２８】
上記のスクリーンは、方形であり、第１の４重極装置の第１電極及び第３電極のアパーチャの大側面の第１の配列方向に平行に配列された大側面を、有利に有している。
【００２９】
同様に有利に、第１の４重極装置の第１電極及び第３電極は、この４重極装置の第２電極から距離ｄの位置に存在している。
【００３０】
好ましくは、上記の各電極のアパーチャの大側面は、円形の凹部を有しており、その半径は、
Ｒ＝（Ｈ／２）／ｃｏｓ（α．π／２）
であり、Ｈは、アパーチャの２つの大側面間の距離であり、αは、半径Ｒの円周の百分率である。
【発明の効果】
【００３１】
本発明は、電極の外側のホールの対向する１／４の円筒の高さを非対称とする必要がなくＭＯＤＥＣを修正することを可能としている。
【００３２】
この利点は、後者を妨げることなくビームを再中心化し、又は、電子銃の種々の要素の常套的な配列を保持することが可能である。
【発明を実施するための最良の形態】
【００３３】
図１を参照すると、陰極線管用及び特に受像管の高鮮明度の電子銃のための４重極装置に関する例示的な実施例について述べる。
【００３４】
４重極装置は、３つの電極５、６及び７を含む。
【００３５】
種々の形状の電極５、６及び７を、図１乃至図３に示す。
【００３６】
３つの色彩の制御つまり３つの電子ビームの処理を意図した電子銃に関し、各電極は、電極５用の３つの側方アパーチャ５．１及び５．３を有し、電極６用の２つの側方アパーチャ６．１及び６．３を有し、且つ、電極７用の２つの側方アパーチャ７．１及び７．３を有し、さらに、中心アパーチャ５．２、６．２及び７．２をそれぞれ有する。これらアパーチャは、方形の一般的な形状を有する。これらアパーチャの各大側面は、電極５のアパーチャ５．３に関して、Ｅ５．３などの拡張部を備える。これらの拡張部は、電子銃の電極の位置取り用の、取り付けロッドが通過する円形又はホールのアークの形状を有する。
【００３７】
各電極の各アパーチャは、同様の形状を有する。これら各アパーチャの最も小さな外形寸法は、値Ｈであり、最も大きな外形寸法は、値Ｌである（図３参照）。
【００３８】
電極５及び電極７は、これらの大きな外形寸法が水平に配置される様式に配列された各アパーチャを有し（図３参照）、その一方で、電極６は、電極５及び電極７のアパーチャに垂直な、垂直方向に大きな外形寸法が配列されているアパーチャを有する。円形のアークの形状の拡張部の表面は、上記の３つの電極の種々のアパーチャに関して同様の外形寸法を有する。
【００３９】
本発明によると、電極５、６及び７は、平面の形状を有する。
【００４０】
方形のアパーチャ５．１乃至５．３、６．１乃至６．３及び７．１乃至７．３は、対応する方形の中心に、それぞれ中心部ｃ５．１乃至ｃ５．３、ｃ６．１乃至ｃ６．３及びｃ７．１乃至ｃ７．３を有する。４重極装置の電極は、軸ｚに沿って配置され、これは、電子銃の電子ビームの平均通常方向を決定する。３つの電極の中心アパーチャ５．２、６．２、７．２の中心部ｃ５．２、ｃ６．２、ｃ７．２は、この軸ｚに沿って配置される。
【００４１】
他方、図４に示すように、電極５及び電極７の左側方アパーチャは、電極６の左双方アパーチャに対してオフセットである。同様に、右側方アパーチャに関してもオフセットである。従って、図４に示すように、電極６の左側方アパーチャ６．１の中心部ｃ６．１が軸ｚに平行な軸ｚ１上に存在する場合、左側方アパーチャ５．１及び７．１の中心部ｃ５．１及びｃ７．１は、軸ｚに平行で軸ｚ１とは異なる軸ｚ’１に沿って配置される。同様に、右双方アパーチャ５．３及び７．３の中心部ｃ５．３及びｃ７．３は、ｚ軸に平行な軸ｚ’３に沿って配置されており、この軸ｚ’３は、軸ｚに平行な軸ｚ３とは異なり、且つ、アパーチャ６．３の中心部ｃ６．３を通過する軸である。
【００４２】
図４の例示的な実施例によると、軸ｚ１及びｚ’１は、軸ｚに対して、軸ｚ３及びｚ’３にそれぞれ対称である。軸ｚ’１と軸ｚ’３との距離は、側方アパーチャ６．１及び６．３の中心部ｃ６．１とｃ６．３との間の距離よりも大きいか小さい。
【００４３】
３つの電極の中心アパーチャの、例えばＥ５．２の拡張部又はホールは、軸ｚに沿って配列されている。図４において、左側方アパーチャ（５．１、６．１、７．１）の拡張部又はホール（Ｅ５．１、Ｅ６．１、Ｅ７．１）は、軸ｚ１に沿って配列される。同様に、右側方アパーチャ（５．３、６．３、７．３）の拡張部又はホールは、軸ｚ３に沿って配列される。この方式において、電極６のアパーチャの配置は、種々の改変を受けず、その対称性を保持する。電極５及び電極７の側方アパーチャのみが、公知の技術に対して若干改変される。しかしながら、この改変の結果は、単に、これらの方形アパーチャの位置が、電極６のアパーチャ６．１及び６．３の位置に対して、この方形アパーチャの大側面に沿ってオフセットとなるのみである。
【００４４】
動的電圧Ｖ６は、ライン走査並びに他の２つの電極５及び７への固定された電圧Ｖｆに同期して電極６に適用される。
【００４５】
上述したように、本発明は、電子ビームを再中心化するように、且つ、ＭＯＤＥＣの欠点を修正するように、電極６の側方方形アパーチャに対して、電極５及び図７（図４）の側方方形アパーチャを脱配列（ｄｅａｌｉｇｎｉｎｇ）することで構成される。この脱配列は、図４では、Δｚと示す。他方、上記の円形ホールの位置は、電子銃の電極の常套的な配列を保持することが可能なように、改変されない。また、必要なのは、脱配列Δｚは、最大値Δｍａｘｉを超えない。
【００４６】
【数１】
2005085765.tif 000003
ここで、図７に示した電極のアパーチャからも分かるように、
−Ｌは、電極のアパーチャの最も大きい長さであり、
−Ｒは、拡張部（又は取り付けホール）の径である。
【００４７】
３つの電極５、６及び７の集合体で構成している４重極システムは、上述したように、拡張部又はホールＦ（図３参照）を必要とし、その寸法は、ホールＦの全円周Ｐの特定の百分率αに対応した角度θに関連されており、図７と組み合わせて、以下に述べる。径ＲのホールＦの位置ＡとＢとの間の距離Ｐ１は、位置ＣとＤとの距離Ｐ２と同一である。このようにして、ホールの円形部分の円周ｐ＝Ｐ１＋Ｐ２＝２×ｐを得る。
【００４８】
支持体の円周（Ｓｕｐｐｏｒｔ  ｐｅｒｉｍｅｔｅｒ）：ｐ＝α×Π×Ｒ・・・（１）
角度θの径Ｒの円形のアークに関して、以下の式ｐ＝Ｒ×θ（２）に従って、上記のアークの寸法を上記の角度に関連付ける関係を見出した。
【００４９】
（１）及び（２）はθ＝α×Πを意味する。
【００５０】
最終的に、一般的な三角法の定理によると、
【００５１】
【数２】
2005085765.tif 000004
である。
【００５２】
従って、所定の高さＨに関して、以下の式に従うように、アパーチャＦ（図３）の径（図７）を導入することが本質的である。
【００５３】
【数３】
2005085765.tif 000005
上述の記載において、電極５及び電極７の左側方アパーチャ及び右側方アパーチャは、２つの軸ｚ’１及びｚ’３上に配置されると考慮される。２つの電極５及び電極７の左側方アパーチャ及び右側方アパーチャは、電極６の左側方アパーチャ及び右側方アパーチャは、に対して同様の様式でオフセットとなっている。これは、工業的に容易に実施可能な実施例である。しかしながら、図９ａ及び９ｂは、本発明の種々の実施例を示している。
【００５４】
図９ａは、電極５、６及び７の部分を示しており、電極７のアパーチャ７．１及び７．３は、電極６のアパーチャ６．１及び６．３に対してそれぞれオフセットであり、電極５のアパーチャ５．１及び５．３はオフセットではない。従って、左側方アパーチャ５．１及び６．３は、軸ｚに平行な軸ｚ１上に存在しており、且つ、アパーチャ５．３及び６．３は、軸ｚに対して軸ｚ１に対称な軸ｚ３上に存在している。アパーチャ７．１及び７．３は、軸ｚに対して互いに対称で、軸ｚ１及び軸ｚ３とは異なる軸ｚ’１及びｚ’３上に存在している。同様の様式にて、アパーチャ７．１及び７．３ではなくアパーチャ５．１及び５．２３が、アパーチャ６．１及び６．３に対してオフセットである一つであることを予測可能であることは明らかである。
【００５５】
図９ｂは、本発明の他の改変した実施例の一部を示し、左側方アパーチャは、右側方アパーチャと同様に互いに対してオフセットである。
【００５６】
従って、電極６のアパーチャ６．１及び６．３は、軸ｚに対して互いに対称な軸ｚ１及び軸ｚ３上に配置される。
【００５７】
アパーチャ７．１及び７．３は、軸ｚに対して互いに対称で軸ｚ１及び軸ｚ３とはそれぞれ異なるｚ’１及びｚ’３上に存在する。
【００５８】
アパーチャ５．１及び５．３は、軸ｚに対して互いに対称で上述の種々の軸とは異なる軸ｚ’’１及びｚ’’３上にそれぞれ存在する。
【００５９】
図８は、例示的な高鮮明度の電子銃を示し、これは、本発明の４重極装置を実施することが可能である。
【００６０】
この電子銃は、連続して、軸ｚに沿って、配置された：
−サーモエミッション（ｔｈｅｒｍｏ  ｅｍｉｓｓｉｏｎ）により電子を放出する陰極Ｋ、
−電極Ｇ２と協調して電極Ｇ１は、陰極により放出された電子に基づいて、軸ｚに沿って電子ビームの形成を初期化する。電極Ｇ２は、このビームを集束し、いわゆる「交差点」と称される集束位置に向かって構築される。この集束位置のサイズは、出来る限りポイント様（ｐｏｉｎｔ−ｌｉｋｅ）である。一例として、電極Ｇ１は、地電位と１００ボルトの間の静電ポテンシャルである。Ｇ２は、３００〜１０００ボルトの間のポテンシャルであり、
−この例に従って６０００〜９０００ボルトに上昇される電極Ｇ３は、電子の加速に貢献し、
−電極Ｇ２と実質的に同等のポテンシャルに上昇される電極Ｇ４は、電極Ｇ３とともに及びＧ４に向かい合う電極５の一部とともに、電子ビームの電子レンズの再集束に貢献し、
−上述した電極５、６及び７は、図１乃至４を参照し、上記の垂直平面において、電子ビームの圧縮力及び水平平面での変形を行使する様式にて電子ビームに４重極効果を誘導する第１の４重極装置を構成する。電子ビームの変形は、スクリーンの周辺特にスクリーンの角において大きく、これらは、スクリーンの中心から周辺にかけて連続的に増加する。電極のセット又は４重極５、６、７は、電子ビームの偏差の関数として前持った修正に効果を発揮する。従って、この修正は、スクリーンの走査システムと同期して連続的に効果を発揮し、
−第２の４重極装置Ｇ７−Ｇ８は、４重極効果を発生し、これは、電子ビームに対して、水平方向の圧縮力及び垂直平面の変形を行使する傾向にあり、
−Ｇ８とともに電極Ｇ９は、電子銃の主出口レンズを構成する。
【００６１】
本発明の例示的な実施例によると、電極６は、電極５及び電極７から同一の距離に配置される。
【００６２】
電極５及び電極７は、例えば、６０００〜９０００ボルトの固定されたポテンシャルの上昇される。
【００６３】
電極６は、ライン走査に同期して変化する動的ポテンシャルとも称される可変ポテンシャルを受け入れる。この動的電圧Ｖｄは、例えば、０〜２０００ボルト以上との間で変化する。電極６のポテンシャルは、Ｖ６＝Ｖｆ＋Ｖｄである。電極ビームが陰極線管のスクリーンの中心に配向される場合、電極Ｇ６のポテンシャルは、Ｖ６＝Ｖ５＝Ｖ７＝Ｖｆである。動的電圧Ｖｄ（０〜２０００Ｖ）は、電子ビームの偏向の場合に、電極６に適用される。
【００６４】
従って、電極６の電圧は、スクリーンの角及び周辺では、Ｖｆ＋Ｖｄ＝Ｖ６となっている。
【００６５】
さらに、図８に示したように、電極５、６及び７のセットで構築された４重極装置は、陰極Ｋに対してｄ０の距離に配置され、且つ、４重極出口装置に対してｄ１の距離に配置され、後者は、主出口レンズから距離ｄ２に存在する。
【００６６】
好ましくは、ｄ０、ｄ１及びｄ２の値の同定は、４重極に適用される動的電圧Ｖｄ及び光学的横方向拡大倍率（ｏｐｔｉｃａｌ  ｔｒａｎｓｖｅｒｓｅ  ｍａｇｎｉｆｉｃａｔｉｏｎ）Ｇｔに依存する。
【００６７】
上記の横方向拡大倍率の変化は、単純な多項式にて以下の通り表現される：
Ｇｔ＝ａ０＋ａ１＊ｄ１＋ａ２＊ｄ２
また、４重極５−６−７に適用される動的電圧は、多項式にて以下の通り表現される：
Ｖｄ＝ｂ０＋ｂ１＊ｄ１＋ｂ２＊ｄ２
これら関係において、ａ０〜ｂ２の値は、一例として、以下の値を有してもよい。
【００６８】
ａ０＝−２５．７４
ａ１＝＋０．５１
ａ２＝＋０．２７
ｂ０＝＋４７０．２１
ｂ１＝＋３４．０４
ｂ２＝＋２７．１７
例示的な適用の構成の範囲内で、以下の通り有利に固定してもよい：
Ｖｄ≦Ｖｄｍａｘで、Ｖｄｍａｘ＝１１００ボルト
Ｇｔ≧Ｇｔｍｉｎで、Ｇｔｍｉｎ＝−１７．５
上述の関係は以下のとおり記載されてもよい：
Ｖｄ＝ｂ０＋ｂ１＊ｄ１＋ｂ２＊ｄ２≦Ｖｄｍａｘ・・・（１）
Ｇｔ＝ａ０＋ａ１＊ｄ１＋ａ２＊ｄ２≧Ｇｔｍｉｎ・・・（２）
従って：
（Ｇｔｍｉｎ−ａ０−ａ１．ｄ１）／ａ２≦ｄ２≦（Ｖｄｍａｘ−ｂ０−ｂ１．ｄ１）／ｂ２
となる。
【００６９】
もし、ｄ１が１１ｍｍ〜１４ｍｍで変化すると
１１ｍｍ≦ｄ１≦１４ｍｍ
となる。
【００７０】
距離ｄ２は、種々の値のｄ１に関して、以下の通り選択されてもよい：
【００７１】
【表１】
2005085765.tif 000006
【図面の簡単な説明】
【００７２】
【図１】高鮮明度の電子銃に適用可能な、本発明の一つの例示的な実施例である、陰極線管用電子銃における４重極装置である。
【図２】図１の４重極装置の斜視図である。
【図３】図２の装置における電極に関する平面図である。
【図４】本発明による、４重極装置の電極に関する詳細図である。
【図５】上述した先行技術にて公知の装置である。
【図６ａ】上述した先行技術にて公知の装置である。
【図６ｂ】上述した先行技術にて公知の装置である。
【図７】電極における例示的なアパーチャである。
【図８】本発明を実行する例示的な電子銃である。
【図９ａ】本発明の変形実施例である。
【図９ｂ】本発明の変形実施例である。
【符号の説明】
【００７３】
５          電極
５．１      側方アパーチャ
５．２      中心アパーチャ
５．３      側方アパーチャ
６          電極
６．１      側方アパーチャ
６．２      中心アパーチャ
６．３      側方アパーチャ
７          電極
７．１      側方アパーチャ
７．２      中心アパーチャ
７．３      側方アパーチャ
１４        ホール
１５        ホール
１６        ホール
Ａ          位置
Ｂ          位置
Ｃ          位置
ｃ５．１    中心部
ｃ５．２    中心部
ｃ５．３    中心部
ｃ６．１    中心部
ｃ６．２    中心部
ｃ６．３    中心部
ｃ７．１    中心部
ｃ７．２    中心部
ｃ７．３    中心部
Ｄ          位置
ｄ０        距離
ｄ１        距離
ｄ２        距離
Ｅ５．１    拡張部
Ｅ５．２    拡張部
Ｅ５．３    拡張部
Ｅ６．１    拡張部
Ｅ６．２    拡張部
Ｅ６．３    拡張部
Ｅ７．１    拡張部
Ｅ７．２    拡張部
Ｅ７．３    拡張部
Ｆ          拡張部又はホール
Ｇ１        電極
Ｇ２        電極
Ｇ３        電極
Ｇ４        電極
Ｇ７        ４重極装置
Ｇ８        ４重極装置
Ｇ９        電極
Ｈ          距離
Ｌ          値
Ｐ１        距離
Ｐ２        距離
ｚ          軸
ｚ１        軸
ｚ’１      軸
ｚ’’１    軸
ｚ３        軸
ｚ’３      軸
ｚ’’３    軸
Δｚ        脱配列
θ          角度
【図１】
2005085765.tif 000007
【図２】
2005085765.tif 000008
【図３】
2005085765.tif 000009
【図４】
2005085765.tif 000010
【図５】
2005085765.tif 000011
【図６ａ】
2005085765.tif 000012
【図６ｂ】
2005085765.tif 000013
【図７】
2005085765.tif 000014
【図８】
2005085765.tif 000015
【図９ａ】
2005085765.tif 000016
【図９ｂ】
2005085765.tif 000017